(57)【特許請求の範囲】
【請求項１】
複数個の枠部材の組み合わせで形成され、内側の少なくとも一部に開閉装置の開閉体によって開閉される開閉空間を形成する開閉装置用外枠組みにおいて、
互いに隣接する２個の前記枠部材のうち、一方の枠部材に２個のスリットが形成され、これらのスリットに他方の枠部材の端部が挿入されてこれらの枠部材同士が組み合わされており、
前記開閉装置は、前記開閉体がスライド移動する扉体となっている引戸装置であり、
前記一方の枠部材は上枠部材であり、前記他方の枠部材は、前記扉体が全閉位置に達したときにこの扉体の先端が当接する戸先側の竪枠部材であり、
前記上枠部材における前記戸先側の竪枠部材の側の端部には、これらの上枠部材と竪枠部材とを結合する端部材が取り付けられ、
前記端部材は、前記竪枠部材の側の前面部と、この前面部の上端から戸尻側へ延出している上面部と、前記前面部に接続されて前記戸尻側へ延出している側面部とを有し、
前記上枠部材は、上面部と、この上面部における前記上枠部材の幅方向の一方の端部から垂下した垂下部とを有し、
前記端部材の前記上面部と前記上枠部材の前記上面部とが結合されているとともに、前記端部材の前記側面部と前記上枠部材の前記垂下部とが結合され、前記端部材の前記前面部と前記竪枠部材とが結合されており、
前記上枠部材に前記２個のスリットが前記端部材を間に挟んで前記上枠部材の幅方向に並設されているとともに、前記竪枠部材の上端に２個形成されている突出部が前記２個のスリットに挿入されていることを特徴とする開閉装置用外枠組み。
【請求項２】
請求項１に記載の開閉装置用外枠組みにおいて、前記竪枠部材には、前記扉体とは反対側へ窪んだ凹部が形成されており、この凹部に前記端部材が挿入されてこの端部材の前記前面部と前記竪枠部材とが結合されていることを特徴とする開閉装置用外枠組み。
【請求項３】
請求項１又は２に記載の開閉装置用外枠組みにおいて、前記端部材には、前記扉体に配設されている施錠装置のロック部材が係合されてこの扉体を前記全閉位置にロックするための係合部が設けられていることを特徴とする開閉装置用外枠組み。
【請求項４】
請求項３に記載の開閉装置用外枠組みにおいて、前記端部材は前記前面部の下端から前記戸尻側へ延出している下面部を有し、この下面部に前記係合部が設けられていることを特徴とする開閉装置用外枠組み。
【請求項５】
請求項４に記載の開閉装置用外枠組みにおいて、前記端部材の前記上面部にも前記係合部が設けられていることを特徴とする開閉装置用外枠組み。
【請求項６】
請求項１〜５のいずれかに記載の開閉装置用外枠組みにおいて、前記端部材は板材の折り曲げによって形成されていることを特徴とする開閉装置用外枠組み。
【請求項７】
請求項１〜６のいずれかに記載の開閉装置用外枠組みにおいて、前記引戸装置は、前記扉体が前記上枠部材の内部に配設されたガイド部材から吊り下げられた上吊り式引戸装置であり、前記垂下部に前記ガイド部材が直接取り付けられていることを特徴とする開閉装置用外枠組み。
【請求項８】
請求項１〜７のいずれかに記載の開閉装置用外枠組みにおいて、前記上枠部材は、前記垂下部の下端から前記上枠部材の前記幅方向の外側へ延出した壁材見切り部と、この壁材見切り部の先端から起立した起立部と、この起立部から前記垂下部の側へ屈曲した屈曲部とを有し、
前記上枠部材の前記上面部における前記垂下部とは反対側の前記幅方向の端部には下方延出部が形成され、この下方延出部の下側は、前記上枠部材の開口部となっており、
前記竪枠部材の上端の形状は、前記壁材見切り部及び前記屈曲部を含む前記上枠部材の側面形状と略対応する形状となっており、
前記下方延出部には、前記竪枠部材の側の端部の近くにおいて、前記２個のスリットのうち、前記竪枠部材の上端に２個形成されている前記突出部のうちの一方が挿入された一方のスリットが形成されているとともに、前記垂下部には、他方の突出部が挿入された他方のスリットが形成されていることを特徴とする開閉装置用外枠組み。
【請求項９】
請求項１〜８のいずれかに記載の開閉装置用外枠組みにおいて、前記上枠部材は、この上枠部材の長手方向と幅方向とに直交又は略直交する厚み方向の寸法を有し、前記竪枠部材の端部の前記スリットへの挿入方向は、前記竪枠部材の長手方向となっている前記厚み方向となっていることを特徴とする開閉装置用外枠組み。
【発明の詳細な説明】
【技術分野】
【０００１】
本発明は、内側の少なくとも一部に開閉体で開閉される開閉空間を形成する開閉装置用外枠組みに係り、例えば、開閉体である扉体がガイド部材から吊り下げられた上吊り式の引戸装置を含む各種の引戸装置や、開き戸装置、開閉体がシャッターカーテンとなっているシャッター装置、折れ戸装置、バランスドア装置等に利用できるものである。
【背景技術】
【０００２】
下記の特許文献１には、外枠組みの内側の一部に開閉体で開閉される開閉空間が形成された開閉装置となっていて、開閉体がガイド部材から吊り下げられてスライド移動する扉体になっている上吊り式の引戸装置が示されている。この上吊り式引戸装置の外枠組みは、上記ガイド部材が内部に配設された上枠部材と、前記開閉空間を扉体が全閉としたときに、この扉体の先端が当接する戸先側の竪枠部材と、この戸先側の竪枠部材とは扉体の開閉移動方向反対側に配置された戸尻側の竪枠部材と、扉体が収納される戸袋における前記開閉空間の側の端部に配置された竪額縁部材と、戸袋の下端に配置された幅木と、を含んで形成されている。
【０００３】
これらの上枠部材と、戸先側の竪枠部材と、戸尻側の竪枠部材と、竪額縁部材と、幅木は、上吊り式引戸装置の外枠組みを形成する枠部材となっており、従来、これらの枠部材のうち、互いに隣接する２個の枠部材同士はボルト、ナットやビス等による結合具で結合されていた。
【特許文献１】特開２０００−２８２７６４号公報
【発明の開示】
【発明が解決しようとする課題】
【０００４】
この従来技術によると、ボルト、ナットやビス等による結合具で上記２個の枠部材同士を結合する際に、これらの枠部材同士を位置合わせしなければならず、この位置合わせ作業のために手間と時間がかかり、作業効率を向上させることは困難である。
【０００５】
本発明の目的は、互いに隣接する２個の枠部材同士の位置合わせを容易に行えるようになる開閉装置用外枠組みを提供するところにある。
【課題を解決するための手段】
【０００６】
本発明に係る開閉装置用外枠組みは、複数個の枠部材の組み合わせで形成され、内側の少なくとも一部に開閉装置の開閉体によって開閉される開閉空間を形成する開閉装置用外枠組みにおいて、互いに隣接する２個の前記枠部材のうち、一方の枠部材にスリットが形成され、このスリットに他方の枠部材の端部が挿入されてこれらの枠部材同士が組み合わされていることを特徴とするものである。
【０００７】
この開閉装置用外枠組みによると、互いに隣接する２個の枠部材のうち、一方の枠部材にスリットが形成され、このスリットに他方の枠部材の端部が挿入されることによってこれらの枠部材同士が組み合わされるため、スリットによってこれらの枠部材同士の位置合わせ作業を容易に行え、外枠組みを形成する作業を効率的に実施できる。
【０００８】
この開閉装置用外枠組みにおいて、前記一方の枠部材が、この一方の枠部材の長手方向と幅方向とに直交又は略直交する厚み方向の寸法を有するものとなっている場合には、前記他方の枠部材の端部の前記スリットへの挿入方向は、前記他方の枠部材の長手方向となっている前記厚み方向とすることが好ましい。
【０００９】
これによると、前記厚み方向は前記他方の枠部材の長手方向であるため、この他方の枠部材の端部を前記スリットに挿入する作業を行いやすくなり、前記２個の枠部材同士の組み合わせ作業を簡単に行える。
【００１０】
また、スリットは前記一方の枠部材に１個設けてもよく、複数個設けてもよい。
【００１１】
スリットを前記一方の枠部材に複数個設けると、これらのスリットに複数個の端部が挿入される１個の前記他方の枠部材を前記一方の枠部材にそれだけ正確に位置合わせすることができる。また、前記他方の枠部材が複数個ある場合には、これらのスリットを利用することにより、１個の前記一方の枠部材と複数個の前記他方の枠部材との位置合わせを行うことができる。
【００１２】
また、本発明において、１個又は複数個のスリットは、前記一方の枠部材だけに設けてもよく、前記一方の枠部材と前記他方の枠部材との両方に設けてもよい。そして、後者の場合には、これらの枠部材同士の位置合わせを、前記他方の枠部材に設けたスリットに前記一方の枠部材の端部を挿入することによっても行うことができる。
【００１３】
さらに、本発明において、前記一方の枠部材と前記他方の枠部材とを結合する中間部材を設けることが好ましい。
【００１４】
これによると、前記一方の枠部材と前記他方の枠部材は中間部材を介して結合されることになり、その結合強度を大きくすることができる。
【００１５】
以上の本発明に係る外枠組みは任意な開閉装置に適用することができ、その一例は、開閉体がスライド移動する扉体となっている引戸装置であり、他の例は、開き戸装置であり、さらに本発明に係る外枠組みは、シャッターカーテンが開閉体となっているオーバーヘッドドアを含むシャッター装置や、折れ戸装置、バランスドア装置等にも適用することができる。
【００１６】
本発明に係る外枠組みを前記引戸装置に適用する場合には、この引戸装置の前記扉体の個数は１個でもよく、複数個でもよい。扉体の個数が複数個である場合には、これらの扉体の配置位置は、これらの扉体の厚さ方向にずれていてもよく、これらの扉体の厚さ方向にずれていなくてもよい。さらに、これらの扉体の開閉移動方向は、同じ方向でもよく、反対方向でもよい。そして、前記複数個の扉体の開閉移動方向を同じ方向とする場合には、これらの扉体を、外側扉体と、この外側扉体の内部に入れ子式に収納される内側扉体とし、これらの外側扉体と内側扉体とにより、前記開閉空間を開閉するようにしてもよい。
【００１７】
また、本発明に係る外枠組みを前記引戸装置に適用する場合には、この引戸装置は、前記扉体を収納するための戸袋を備えたものでもよく、戸袋を備えないものでもよい。引戸装置が戸袋を備えたものである場合には、この戸袋は、外部から視認できる外部露出式の戸袋でもよく、壁の内部に収納された壁収納式の戸袋でもよい。そして、これらの戸袋は、戸袋の内部に収納された扉体の厚さ方向両側を覆う部分を有している両面式の戸袋でもよく、扉体の厚さ方向片側のみを覆う部分を有している片面式戸袋でもよい。
【００１８】
本発明に係る外枠組みを引戸装置に適用する場合において、この引戸装置用外枠組みを形成する任意の枠部材に前述したスリットを設けることができ、この枠部材は、上枠部材でもよく、戸先側の竪枠部材でもよく、この戸先側の竪枠部材とは扉体の開閉移動方向反対側に配置された戸尻側の竪枠部材でもよく、そして、扉体で開閉される出入口等の前記開閉空間の下端に沓摺り等の下枠部材が配置される場合には、この下枠部材でもよく、さらに、扉体を収納する戸袋を備えている引戸装置については、この戸袋における前記開閉空間の側の端部に配置された竪額縁部材でもよく、戸袋の下端に配置された幅木等でもよい。
【００１９】
そして、本発明に係る外枠組みが適用される引戸装置は任意な形式の引戸装置でよく、例えば、上枠部材の内部に配設されたガイド部材から前記扉体が吊り下げられ、この扉体が前記ガイド部材に案内されて移動する上吊り式の引戸装置でもよく、下側に配設されたガイドレール等のガイド部材に案内されて扉体が移動する引戸装置でもよく、下側と上側の両方に配設されたガイドレール等のガイド部材に案内されて扉体が移動する引戸装置等でもよい。引戸装置が前記上吊り式の引戸装置である場合、前記ガイド部材はガイドレールでもよく、スライドベアリングが用いられているスライドレール等でもよい。
【００２０】
前述したスリットを設ける前記一方の枠部材を引戸装置用外枠組みの前記上枠部材とする場合には、このスリットに端部が挿入される前記他方の枠部材を、一例として、引戸装置の扉体が全閉位置に達したときにこの扉体の先端が当接する戸先側の竪枠部材とすることができる。
【００２１】
このように上枠部材にスリットを形成し、このスリットに戸先側の竪枠部材の端部を挿入する場合には、上枠部材における戸先側の竪枠部材の側の端部には、これらの上枠部材と竪枠部材とを結合する端部材を取り付けることにより、上枠部材と竪枠部材との結合強度を大きくするとともに、この端部材に、前記扉体に配設されている施錠装置のロック部材が係合されてこの扉体を全閉位置にロックするための係合部を設けることが好ましい。
【００２２】
これによると、上枠部材と戸先側の竪枠部材とを結合してこれらの上枠部材と竪枠部材との結合強度を大きくするための端部材を、扉体に配設されている施錠装置のロック部材を係合させることによって扉体を全閉位置にロックさせるための部材としても活用できることになり、それだけ引戸装置用外枠組みを形成するために必要となる部材点数を削減できる。
【００２３】
このように上枠部材と戸先側の竪枠部材とを結合してこれらの上枠部材と竪枠部材との結合強度を大きくするための端部材を、扉体に配設されている施錠装置のロック部材を係合させることによって扉体を全閉位置にロックさせるための部材としても活用する場合であって、前記上枠部材に前記幅方向の片側において垂下部を設ける場合には、この垂下部を、扉体の基準位置から幅方向に離れた位置に設けるとともに、この垂下部に前記端部材を直接取り付け、上述の上枠部材を、前記基準位置から垂下部までの幅方向の距離が同じであって、幅方向の寸法が異なって用意されている複数個の上枠部材のなかから選択された部材とすることが好ましい。
【００２４】
これによると、幅方向の寸法が異なって用意されている複数個の上枠部材のそれぞれは、前記基準位置から垂下部までの幅方向の距離が同じになるため、厚さ寸法が異なる各種の壁に、これらの壁の厚さ寸法と対応する幅寸法を有する上枠部材が配置されることになっても、それぞれの壁において、前記基準位置から垂下部までの幅方向の距離を同じにすることができ、そして、上述のように垂下部に端部材が直接取り付けられるため、幅方向の寸法が異なって用意されている複数個の上枠部材のそれぞれについて、端部材を共通化させることができ、厚さ寸法の異なる壁ごとにこれらの壁の厚さ寸法に応じたスペース部材等を用意し、これらのスペース部材等を介して端部材をそれぞれの上枠部材の垂下部に取り付ける必要がなくなる。
【００２５】
また、この場合において、引戸装置が、扉体が上枠部材の内部に配設されたガイド部材から吊り下げられた上吊り式の引戸装置である場合には、このガイド部材も垂下部に直接取り付けることが好ましい。
【００２６】
これによると、上枠部材の垂下部にガイド部材を取り付けるためにも、厚さ寸法の異なる壁ごとにこれらの壁の厚さ寸法に応じたスペース部材等を用意し、これらのスペース部材等を介してガイド部材をそれぞれの上枠部材の垂下部に取り付ける必要がなくなる。
【００２７】
前述したスリットを設ける前記一方の枠部材を引戸装置用外枠組みの上枠部材とする場合には、このスリットに端部が挿入される前記他方の枠部材を、扉体が収納される戸袋における前記開閉空間の側の端部に配置された竪額縁部材とすることもできる。
【００２８】
また、前述したスリットを設ける前記一方の枠部材を、扉体が収納される戸袋の下端に配置された幅木とする場合には、このスリットに端部が挿入される前記他方の枠部材を、戸袋における前記開閉空間の側の端部に配置された竪額縁部材とすることができる。
【００２９】
このようにスリットを設ける一方の枠部材を、戸袋の下端に配置された幅木とし、他方の枠部材を、戸袋における開閉空間の側の端部に配置された竪額縁部材とする場合であって、引戸装置が、扉体が上枠部材の内部に配置されたガイド部材から吊り下げられた上吊り式引戸装置である場合には、前記幅木に扉体の下端をガイドするためのガイドローラを取り付けてもよい。
【００３０】
これによると、ガイドローラを、扉体で開閉される出入口等の開閉空間の床に直接取り付けた場合と比較すると、ガイドローラの取付強度を大きくできることや、床の損傷を少なくできること、ガイドローラの取付位置精度を向上させること等を実現できる。
【００３１】
また、このように幅木にガイドローラを取り付ける場合には、この幅木を1個の部材で形成してもよく、あるいは、幅木を、少なくとも前記開閉空間の側の端部が上下に重ねられた複数個の幅木部材で形成されたものとし、これらの幅木部材の上下に重ねられた部分にガイドローラを取り付けてもよい。
【００３２】
後者によると、扉体の下端をガイドするためのガイドローラは、複数個の幅木部材が上下に重ねられて形成された幅木の部分に取り付けられるため、幅木におけるガイドローラの取付強度をさらに大きくすることができる。
【００３３】
また、スリットを設ける一方の枠部材を、戸袋の下端に配置された幅木とする場合であって、この幅木の少なくとも一部を、上下に重ねられた複数個の幅木部材で形成されたものとする場合には、前記他方の枠部材となっている竪額縁部材の端部を挿入するためのスリットを、上下に重ねられた複数個の幅木部材の厚さによって形成してもよい。
【００３４】
これによると、竪額縁部材の端部が挿入されるスリットの長さを、上下に重ねられた複数個の幅木部材の厚さによって長くすることができ、これにより、幅木と竪額縁部材との位置合わせ作業を容易に行える。
【００３５】
さらに、扉体が収納される戸袋が、壁の内部に設けられた壁収納式の戸袋となっている場合には、この壁を、合計すると市販されている汎用の壁材の寸法となる寸法を有している複数個の壁材を用いて形成することが好ましい。
【００３６】
これによると、壁の少なくとも一部を、市販されている汎用の壁材を切断して得られる複数個の壁材によって容易に形成でき、市販されている汎用の壁材から使用されない無駄な部分が生ずることを極力防止することができるようになる。
【００３７】
また、本発明を折れ戸装置に適用する場合には、この折れ戸装置における複数個の扉体が折れ曲がり自在に連結された扉体の組の個数は１個でもよく、複数個でもよい。扉体の組の個数が複数個である場合には、これらの開閉移動方向は、同じ方向でもよく、反対方向でもよい。また、扉体の組は、扉体の厚さ方向両側に折れ曲がり自在となった両折れ式でもよく、扉体の厚さ方向片側に折れ曲がり自在となった片折れ式でもよい。
【発明の効果】
【００３８】
本発明によると、開閉装置用外枠組みを、それぞれの枠部材を組み合わせて形成する際に、互いに隣接する２個の前記枠部材のうち、一方の枠部材にスリットを形成し、このスリットに他方の枠部材の端部を挿入してこれらの枠部材同士の組み合わせを行うため、これらの枠部材同士の位置合わせを容易に行えるという効果を得られる。
【発明を実施するための最良の形態】
【００３９】
以下に本発明を実施するための形態を図面に基づいて説明する。本実施形態に係る開閉装置は、開閉体がスライド移動する１個の扉体となっている引戸装置であって、この扉体が、ガイド部材であるガイドレールから吊り下げられかつこのガイドレールに案内されて移動を行う上吊り式の引戸装置であり、また、この引戸装置は、扉体を収納する戸袋を有するものであって、この戸袋は、壁の内部に収納された壁収納式の戸袋である。
【００４０】
図１は、例えば、建物内における廊下と部屋との間に配置され、扉体１で開閉される開閉空間が出入口２となっているこの上吊り式の引戸装置の全体を示す正面図である。この引戸装置の外枠組みは、上枠部材１０と、扉体１が全閉位置に達して出入口２を閉じたときにこの扉体１の先端が当接する戸先側の竪枠部材１１と、この戸先側の竪枠部材１１とは扉体１の移動方向反対側に配置されている戸尻側の竪枠部材１２と、これらの竪枠部材１１と１２の間に配置されているとともに、出入口２を開けたときの扉体１が収納される戸袋３における出入口２の側の端部に配置された竪額縁部材１３と、床４における戸袋３の下端に配置された幅木１４とにより形成され、板材の折り曲げ品となっているこれらの上枠部材１０と戸先側の竪枠部材１１と戸尻側の竪枠部材１２と竪額縁部材１３と幅木１４は、引戸装置の外枠組みを形成する枠部材となっている。
【００４１】
出入口２は、これらの枠部材１０〜１４で形成された外枠組みの内側の一部の空間となっており、この出入口２は扉体１で開閉され、この出入口２を開けたときの扉体１が収納される戸袋３は、壁５の内部に収納された壁収納式の戸袋である。上枠部材１０は、戸先側の竪枠部材１１から戸尻側の竪枠部材１２まで延びる長さを有し、上記枠部材１０〜１４のうちの１つとなっている竪額縁部材１３は、戸袋３における出入口２側の見切り部材となっている。また、戸袋３は、図１のＳ２−Ｓ２線断面図である図２で示されているように、ハット形状の断面が、上枠部材１０と幅木１４の長手方向（図１では左右方向）に連続している補強部材２０によって補強された構造となっており、この補強部材２０は、扉体１の厚さ方向でもある戸袋３の厚さ方向の両側に設けられているとともに、竪枠部材１１，１２と竪額縁部材１３の長手方向でもある上下方向に複数個配設されている。そして、これらの補強部材２０の上下において、内側壁材２１が接着テープ等による結合具で補強部材２０に結合され、これらの内側壁材２１の外側に外側壁材２２が配置され、補強部材２０にビスやステープル等の結合具で結合されているこの外側壁材２２の表面に、クロス等の壁仕上げ材が取り付けられている。
【００４２】
このため、これらの内側壁材２１と外側壁材２２と壁仕上げ材により、戸袋３の部分の壁５が形成され、戸袋３は、補強部材２０が構造材となって壁５の内部に形成されている。この壁５は、図１から分かるように、上枠部材１０の上側や、戸先側の竪枠部材１１に対して出入口２とは反対側の部分、戸尻側の竪枠部材１２に対して戸袋３とは反対側にも設けられている。壁５のこれらの部分の表面は、戸袋３における壁５の部分の表面と面一状態となっている。
【００４３】
また、図１で示されている上下複数個の前記補強部材２０のうち、上下寸法が大きい補強部材２０Ａが配置されている壁５の箇所には、手摺り６を設けることができ、この手摺り６は、補強部材２０Ａに達するビス等の取付具でこの補強部材２０Ａに取り付けることができる。
【００４４】
図３は図１のＳ３−Ｓ３線断面図であり、この図３で示されているように、竪額縁部材１３は扉体１の厚さ方向両側に２個配設され、それぞれの竪額縁部材１３は、戸袋３の内外方向に配置された内部材２３と外部材２４との組み合わせ品である。これらの内部材２３と外部材２４における戸尻側の竪枠部材１２の側へ延びている後方延出部２３Ａと２４Ａの間の隙間に、補強部材２０における戸先側の竪枠部材１１の側の端部が挿入され、この端部は、ビス等の止着具２５で外部材２４の後方延出部２４Ａに止着され、補強部材２０における戸尻側の竪枠部材１２の側の端部は、ビス等の止着具２６で戸尻側の竪枠部材１２に止着されている。
【００４５】
図２において、壁５を形成している複数個の内側壁材２１のうち、２個の内側壁材２１Ａの上下寸法Ｈは、市販されている汎用の壁材の上下寸法の正確な半分である。このため、これら２個の内側壁材２１Ａの上下寸法の合計は、市販されている汎用の壁材の上下寸法と同じであり、したがって、２個の内側壁材２１Ａを、市販されている汎用の壁材を切断して容易に得ることができるとともに、この市販されている汎用の壁材を、使用されない無駄な部分が生ずることを極力防止して有効に活用できる。
【００４６】
図４は図１のＳ４−Ｓ４線断面図であり、この図４で示されているように、上枠部材１０は、上枠部材１０の上側の壁５の下地材２７にアンカー部材２８を介して結合された上面部１０Ａと、この上面部１０Ａにおける上枠部材１０の幅方向（図４では左右方向）の一方の端部から垂下した垂下部１０Ｂと、この垂下部１０Ｂの下端から上記幅方向の外側へ延出した壁材見切り部１０Ｃと、この壁材見切り部１０Ｃの先端から起立した起立部１０Ｄと、この起立部１０Ｄから垂下部１０Ｂ側へ屈曲した屈曲部１０Ｅとを有する。これらの上面部１０Ａと垂下部１０Ｂと壁材見切り部１０Ｃと起立部１０Ｄと屈曲部１０Ｅのうち、上面部１０Ａと垂下部１０Ｂは、上枠部材１０の全長に渡って連続して設けられ、壁材見切り部１０Ｃと起立部１０Ｄと屈曲部１０Ｅは、出入口２と対応する部分だけに設けられている。そして、壁材見切り部１０Ｃの上側に、壁５における垂下部１０Ｂの幅方向外側の部分を形成する内側壁材２９と外側壁材３０が配置され、これらの内側壁材２９と外側壁材３０は、壁材見切り部１０Ｃとは上枠部材１０の幅方向反対側において、上枠部材１０の上側にも配置されている。そして、壁材見切り部１０Ｃの上側に配置された内側壁材２９と外側壁材３０は、図２における戸袋３の左側では、図２で示されている内側壁材２１と外側壁材２２となっている。
【００４７】
また、上面部１０Ａにおける垂下部１０Ｂとは反対側の幅方向の端部には、僅かに下方へ延びた下方延出部１０Ｆが形成され、この下方延出部１０Ｆの下端には、斜め上方であって、上記壁材見切り部１０Ｃとは反対側の幅方向外側へ延出した傾斜延出部１０Ｇが設けられている。これらの延出部１０Ｆ，１０Ｇは、図１で示されている出入口２と竪額縁部材１３に対応するだけに設けられ、延出部１０Ｆ、１０Ｇ及び後述する点検カバー３１と対応する高さ位置における戸袋３の上部箇所には、図１で示されている上下複数個の前記補強部材２０のうち、最上部の補強部材２０Ｂが配置されている。
【００４８】
図４で示されている下方延出部１０Ｆの下方への延出量は小さいため、この下方延出部１０Ｆの下側は、上枠部材１０の開口部１０Ｈとなっており、この開口部１０Ｈから、上枠部材１０の内部空間に収納配置されている扉体移動機構についての点検及び整備を含む各種の作業を行えるようになっている。
【００４９】
通常時の開口部１０Ｈは点検カバー３１で塞がれており、この点検カバー３１は、上端に斜め下向きに形成され、上枠部材１０の傾斜延出部１０Ｇに係止される係止部３１Ａと、この係止部３１Ａから鉛直又は略鉛直下向きに延びている正面部３１Ｂと、この正面部３１Ｂの下端から上枠部材１０の内側へ水平又は略水平に屈曲している下面部３１Ｃと、この下面部３１Ｃの先端から立ち上がった立上部３１Ｄとを有する。これらの係止部３１Ａと正面部３１Ｂと下面部３１Ｃと立上部３１Ｄは、戸先側の竪枠部材１１の側から見た上枠部材１０の側面図である図５にも示され、係止部３１Ａと下面部３１Ｃと立上部３１Ｄにより、板金の折り曲げで形成されている点検カバー３１の全体の剛性が確保されている。また、点検カバー３１の形状を示す図５のＳ７矢視図である図７に示されているように、立上部３１Ｄは、図１及び図７の左右方向であって上枠部材１０の長手方向でもある点検カバー３１の長手方向の全長に渡って設けられておらず、点検カバー３１には、この長手方向の両端部において、立上部３１Ｄが存在していない立上部欠損部３１Ｅが設けられている。
【００５０】
前述の開口部１０Ｈを塞いでいるときの点検カバー３１は、図４及び図５で示されているとおり、係止部３１Ａが上枠部材１０の傾斜延出部１０Ｇに係止され、これにより点検カバー３１の重量が上枠部材１０で支持され、また、図７で示されているとおり、下面部３１Ｃが、戸先側の竪枠部材１１と竪額縁部材１３に取り付けられているブラケット３２，３３であって、点検カバー３１の長手方向の両端部と対応する位置に設けられているブラケット３２，３３にねじ部材３４，３５で止められている。ブラケット３２，３３は、下面部３１Ｃと上側で対面するねじ止め部３２Ａ，３３Ａを有し、下面部３１Ｃの孔３６，３７に下から上に挿入されたねじ部材３４，３５の雄ねじ軸部を、ねじ止め部３２Ａ，３３Ａに形成されている雌ねじ孔３８，３９に螺合することにより、下面部３１Ｃがブラケット３２，３３にねじ部材３４，３５で止められる。
【００５１】
また、前述した扉体移動機構についての点検等の作業を行うために、点検カバー３１を取り外して上枠部材１０の上記開口部１０Ｈを開けるときには、ねじ部材３４，３５を取り外し、これにより、点検カバー３１は、上端の係止部３１Ａを中心に上枠部材１０の内外方向である図６のＡ方向に揺動可能となるため、上枠部材１０の外側方向へ揺動させることにより、係止部３１Ａを上枠部材１０の傾斜延出部１０Ｇから抜き取る。このようにして点検カバー３１を取り外す際において、点検カバー３１には、立上部３１Ｄが存在していない図７の立上部欠損部３１Ｅが点検カバー３１の長手方向の両端部に設けられているため、この点検カバー３１の取り外し作業を、ブラケット３２，３３のねじ止め部３２Ａ，３３Ａと立上部３１Ｄとが干渉することなく行える。
【００５２】
また、ねじ部材３４，３５は、点検カバー３１の下面部３１Ｃとブラケット３２，３３のねじ止め部３２Ａ，３３Ａとに下から上に挿入されるものであるため、点検カバー３１の取り付け作業、取り外し作業のために作業者がねじ部材３４，３５について行う作業は、前記出入口２に立ったこの作業者が手を上に伸ばすことによって行え、この作業を容易に行える。
【００５３】
また、本実施形態では、図４及び図５で示されているように、上枠部材１０の傾斜延出部１０Ｇには、点検カバー３１の係止部３１Ａがこの傾斜延出部１０Ｇに直接接触することを防止するゴムや合成樹脂等による冠部材４０が被せられ、これにより、上枠部材１０と点検カバー３１の材料である金属同士が直接接触して点検カバー３１の取付作業時や取外作業時等において異音が発生することや、上枠部材１０及び／又は点検カバー３１に傷が生ずること等を防止している。
【００５４】
また、図４で示されているように、点検カバー３１の正面部３１Ｂの裏面（正面部３１Ｂにおける上枠部材１０の内側の面）に、例えば、ハット形状の断面が点検カバー３１の長手方向に連続している補強部材４１を接着剤や接着テープ等の結合具で結合し、これにより、正面部３１Ｂの強度を補強し、正面部３１Ｂの上下寸法や左右寸法が大きくても、正面部３１Ｂに撓み変形等が発生しないようにしてもよい。
【００５５】
次に、上枠部材１０の内部空間に収納配置されている前述の扉体移動機構について説明する。図８は、点検カバー３１を取り外して示すこの扉体移動機構の正面図である。
【００５６】
上枠部材１０の内部には、この上枠部材１０の略全長に渡る長さとなったガイドレール４５が配置され、扉体１の直線の開閉移動を案内するガイド部材となっているこのガイドレール４５は、図４に示されているように、上下に延びる基端部４５Ａを有する略Ｌ字形状であり、基端部４５Ａが上枠部材１０の前記垂下部１０Ｂにビス等の結合具４６で結合されている。扉体１には、この扉体１の上方において、ガイドレール４５に転動自在に係合しているローラ４７がブラケット４８を介して取り付けられ、このローラ４７は、図８で示されているとおり、上枠部材１０の長手方向である扉体１の開閉移動方向に２個設けられている。このため、本実施形態に係る引き戸装置は、扉体１が２個のローラ４７によってガイドレール４５から吊り下げられた上吊り式の引戸装置になっている。
【００５７】
また、上枠部材１０の内部空間には、扉体１を自動的に閉じ移動させるための渦巻きばね式の閉鎖装置５０が配置され、この閉鎖装置５０は、上枠部材１０における戸先側の竪枠部材１１に近い端部の近傍において、上枠部材１０の垂下部１０Ｂやガイドレール４５の基端部４５Ａにビス等の結合具で結合されている。閉鎖装置５０からは、この閉鎖装置５０の内部に設けられている渦巻きばね機構に一端が連結された合成樹脂製等の紐状部材５１が導出され、この紐状部材５１の他端は、上記２個のローラ４７のうち、戸先側のローラ４７を回転自在に保持しているブラケット４８に連結されている。扉体１の戸先側の端部となっている扉体１の先端が戸先側の竪枠部材１１に当接していて扉体１が前記出入口２を全閉としているときに、図１で示す把持部５２を握った手によって扉体１を開き移動させると、閉鎖装置５０から繰り出される紐状部材５１により、上記渦巻きばね機構の渦巻きばねにばね力が蓄圧され、把持部５２から手を離すと、この蓄圧されたばね力によって扉体１が自動的に全閉位置まで閉じ移動する。このため、本実施形態に係る引戸装置は、自動閉鎖式の引戸装置である。
【００５８】
また、上枠部材１０の内部空間には、図８で示すシリンダ式の制動装置５３が、ピストンロッド５３Ａを戸尻側の竪枠部材１２の側に向けて配置され、この制動装置５３は、ガイドレール４５の基端部４５Ａにブラケット５４で取り付けられている。扉体１の上記２個のローラ４７のうち、戸尻側のローラ４７を回転自在に保持しているブラケット４８には、ピストンロッド５３Ａの先端部と扉体１の開閉移動方向に対向する当接部材５５が取り付けられ、これらのピストンロッド５３Ａの先端部と当接部材５５とのうち、一方には、他方と吸着力等で接離自在となったマグネット等による接離部材５６が設けられている。
【００５９】
全閉位置に達している扉体１を上述のように開き移動させたときには、先端部が当接部材５５に接離部材５６の吸着力で接続状態となっているピストンロッド５３Ａは伸び作動し、ピストンロッド５３Ａの伸び作動の限度を越えて扉体１が開き移動すると、接離部材５６において当接部材５５はピストンロッド５３Ａから分離する。また、扉体１が閉じ移動すると、その途中で当接部材５５は接離部材５６を介してピストンロッド５３Ａの先端部に当接し、扉体１が閉じ移動を継続することにより、ピストンロッド５３Ａは縮み作動を始め、制動装置５３には、このときにシリンダ式の制動装置５３の内部の空気を絞りながら排出するバルブが設けられているため、扉体１は、このバルブの絞り作用による制動力を受けながら、上記閉鎖装置５０で低速で全閉位置まで自動移動する。
【００６０】
なお、上記バルブは、ピストンロッド５３Ａが伸び作動するときには、空気を絞らずにシリンダ式の制動装置５３の内部に流入させるタイプのものであるため、全閉位置からの扉体１の開き移動を、閉鎖装置５０の上記渦巻きばね機構の渦巻きばねにばね力を蓄圧させるだけの小さな力によって行える。
【００６１】
なお、以上のように、全閉位置へ向かって閉じ移動しているときの扉体１に制動力を作用させるための装置は、上記シリンダ式の制動装置５３に限定されず、例えば、扉体１と上枠部材１０とのうちの一方に取り付けられたラック部材と、他方に取り付けられ、このラック部材に噛合するピニオン部材を有するロータリー式のダンパー装置とを含んで構成され、扉体の全閉位置へ向かう閉じ移動によってピニオン部材がラック部材で回転することにより、ロータリー式のダンパー装置の内部に充填されている粘状物質等によって制動力が生ずるものでもよい。
【００６２】
図１に示されているとおり、戸尻側の竪枠部材１２の下部には、扉体１の開閉移動方向において扉体１と対向しているストップ部材５７が取り付けられている。ゴム等の弾性材料からなるこのストップ部材５７は、扉体１の開き移動限位置である後退限位置を規定するものであり、扉体１の戸尻側の端部がストップ部材５７に当接したときに、扉体１は後退限位置に達する。図９で示すように、扉体１には、板ばねで形成されていて、扉体１の戸先側の端部の側へ延びるにしたがって上枠部材１０の前記垂下部１０Ｂの側へ近づく係止部材５８が取り付けられ、また、垂下部１０Ｂには、被係止部材５９が取り付けられている。この被係止部材５９には、扉体１の開閉移動方向に離れていて、扉体１に近づくにしたがって互いの間隔が小さくなる２個の傾斜面５９Ａ、５９Ｂが形成されており、係止部材５８の先端の屈曲部５８Ａが傾斜面５９Ａを係止部材５８の弾性撓み変形によって乗り越えて、図９で示されているように傾斜面５９Ｂに係止したときに、扉体１は上記ストップ部材５７で規定される後退限位置に達し、傾斜面５９Ｂへの屈曲部５８Ａの係止作用により、扉体１はこの後退限位置に停止する。
【００６３】
このため、係止部材５８と被係止部材５９により、扉体１を後退限位置に停止させるための停止装置６０が構成されている。
【００６４】
そして、図１で示した把持部５２を握った手で扉体１に閉じ移動力を付与すると、係止部材５８の弾性撓み変形によって屈曲部５８Ａは傾斜面５９Ｂを乗り越え、扉体１は、前述したように、閉鎖装置５０の渦巻きばね機構の渦巻きばねに蓄圧されたばね力等により、前述したように閉じ移動する。
【００６５】
本実施形態では、ストップ部材５７は、図１に示されているように、戸尻側の竪枠部材１２の長手方向である上下方向において、ガイドレール４５と同じ高さの箇所又はガイドレール４５に近い上部の箇所ではなく、前記床４に近い下部の箇所、例えば、この竪枠部材１２の上下中央部よりも下側の箇所に配置されている。このため、扉体１が上枠部材１０の内部に配設されたガイドレール４５から吊り下げられた上吊りの扉体となっていても、この扉体１が後退限位置まで高速で開き移動し、これによって扉体１が大きな力でストップ部材５７に衝突しても、ガイドレール４５に係合しているローラ４７が配置された扉体１の上方を中心として扉体１が扉体開閉移動方向に大きく振れ運動することをなくすことができる。
【００６６】
なお、図１で示すように、前記戸袋３が内部に設けられている前記壁５の部分に、戸袋３の内部を掃除するための掃除用開口部６１を設ける場合には、蓋で開閉されるこの掃除用開口部６１の範囲内又はこの範囲に近い位置（例えば、掃除用開口部６１から手が届く位置）にストップ部材５７を配置することが好ましい。これによると、掃除用開口部６１から挿入した手等によってストップ部材５７についてのメインテナンス作業等も行えることになる。
【００６７】
また、図１で示されているように、扉体１が開閉移動する移動経路における前記竪額縁部材１３の配置位置と対応する位置、言い換えると、前述した幅木１４における戸先側の竪枠部材１１の側の端部には、ガイドローラ６２が配置されている。このガイドローラ６２は、図４で示されているとおり、下方に向かって開口している扉体１の下端部に挿入され、扉体１の前記ガイドレール４５で案内される開閉移動は、扉体１の下端部がガイドローラ６２で案内されながら行われる。
【００６８】
図３で示されているように、戸袋３における出入口２の側の端部に配置されているそれぞれの竪額縁部材１３には、竪額縁部材１３と扉体１との間隔を小さくし、これらの竪額縁部材１３と扉体１との隙間に指等が挟まってしまうことを防止するための指詰め防止部材６５が取り付けられている。図１０は、この指詰め防止部材６５の部分の拡大平面図である。
【００６９】
ゴムや軟質合成樹脂等の弾性材料又は軟質材料で形成されているこの指詰め防止部材６５は、扉体１の側、すなわち戸袋３の内外側のうちの内側の柔軟部６５Ａと、この柔軟部６５Ａの後側、すなわち戸袋３の内外側のうちの外側のベース部６５Ｂとを有し、柔軟部６５Ａの内部には空洞部６５Ｃが設けられ、ベース部６５Ｂには割り溝６５Ｄが形成され、これらの柔軟部６５Ａ、ベース部６５Ｂ、空洞部６５Ｃ、割り溝６５Ｄは、上下方向であって、竪額縁部材１３の長手方向ともなっている指詰め防止部材６５の長手方向に連続している。竪額縁部材１３を構成する図３で説明した内部材２３と外部材２４のうち、外部材２４には戸袋３の内側へ延出した内側延出部２４Ｂが設けられており、この内側延出部２４Ｂを割り溝６５Ｄに挿入することにより、指詰め防止部材６５は竪額縁部材１３に取り付けられる。
【００７０】
内側延出部２４Ｂは、外部材２４の材料である板材を折り返して２枚重ね状態とした厚肉部６６を有し、この厚肉部６６の後端部は段差部６７となっており、割り溝６５Ｄは、このような厚肉部６６と段差部６７とに対応した形状に形成されている。このため、指詰め防止部材６５が外部材２４の内側延出部２４Ｂから扉体１の側へ抜け出すことは、段差部６７の割り溝６５Ｄへの係止作用によって防止される。また、指詰め防止部材６５と扉体１との離間距離Ｌ１は、指詰め防止部材６５の内側延出部２４Ｂへの挿入深さＬ２よりも小さいため、たとえ指詰め防止部材６５が内側延出部２４Ｂから抜け出そうとしても、指詰め防止部材６５が内側延出部２４Ｂから完全抜け出す前に、指詰め防止部材６５の先端が扉体１に当接することになり、このため、指詰め防止部材６５が内側延出部２４Ｂから抜け落ちることはない。
【００７１】
図８で示されているように、前記上枠部材１０の内部には、戸先側の竪枠部材１１の側の端部において、端部材７０が配置され、この端部材７０によって上枠部材１０と戸先側の竪枠部材１１とが結合されている。
【００７２】
図１１は、端部材７０の全体斜視図である。板材の折り曲げによって形成されているこの端部材７０は、戸先側の竪枠部材１１の側の前面部７０Ａと、この前面部７０Ａの上下両端から戸尻側の竪枠部材１２の側へ延出している上面部７０Ｂ及び下面部７０Ｃと、前面部７０Ａに、上枠部材１０の幅方向外側への屈曲部７０Ｄを介して接続されている側面部７０Ｅとを有する。図５から分かるように、上面部７０Ｂは、ビス等の結合具７１によって上枠部材１０の上面部１０Ａに結合されているとともに、側面部７０Ｅは、ビス等の結合具７２によって上枠部材１０の垂下部１０Ｂに結合されている。また、図８に示されているとおり、前面部７０Ａは、ビス等の結合具７３によって戸先側の竪枠部材１１に結合されている。これにより、上枠部材１０と戸先側の竪枠部材１１は、これらの上枠部材１０と竪枠部材１１との間の中間部材となっている端部材７０を介して大きな強度により結合されている。
【００７３】
図１で示されているとおり、扉体１には、前述した把持部５２の上部において、扉体１を全閉位置に施錠するための施錠装置７５が配設されている。図１２はこの施錠装置７５の部分の拡大正面図である。施錠装置７５は、扉体１の一方の面、すなわち、図１及び図１２では手前側の面からのキー操作と、扉体１の他方の面からのサムターン操作によって昇降動する昇降部材７６を有し、この昇降部材７６に形成されている雌ねじ部７６Ａに、施錠装置のロック部材であるロックバー７７の下端部に形成されている雄ねじ部７７Ａが螺入されることにより、ロックバー７７が昇降部材７６に結合されている。ロックバー７７は、扉体１の戸先側の端部において、昇降部材７６からゴム等の弾性材料で形成された振れ止め部材７８の内部を貫通して上方へ延び、その先端部７７Ｂは、扉体１の上面から少し突出している。
【００７４】
扉体１が全閉位置に達しているときに、施錠装置７５についての上記キー操作又はサムターン操作を行うと、昇降部材７６の上昇によってロックバー７７も上昇する。このときのロックバー７７は、図１１で説明した端部材７０の下面部７０Ｃに形成されている係合孔７９の真下の位置にあるため、ロックバー７７の上昇によってこのロックバー７７の先端部７７Ｂは係合孔７９に挿入する。
【００７５】
これにより、扉体１は全閉位置にロックされることになり、このため、上枠部材１０と戸先側の竪枠部材１１とを結合するための結合部材となっている端部材７０は、施錠装置７５のロックバー７７と協働して扉体１を全閉位置にロックするための部材を兼ねており、係合孔７９は、ロックバー７７の先端部７７Ｂが挿入係合する端部材７０の係合孔になっている。施錠装置７５についての上記とは逆のキー操作又はサムターン操作を行って昇降部材７６を下降させると、ロックバー７７の先端部７７Ｂは係合孔７９から抜けるため、扉体１を全閉位置から開き移動させることができる。
【００７６】
なお、図１１で示されているとおり、係合孔７９は、端部材７０の上面部７０Ｂにも設けられている。これにより、図１で示されている上枠部材１０とは左右勝手違いの上枠部材（図１で説明すると、点検カバーの配置位置が図１の点検カバー３１の配置位置と同じであって、戸袋が出入口２の左側に配置され、この戸袋の配置位置が、図１の戸袋３とは出入口２に対して反対側に配置されている上枠部材）についても、端部材７０を上下逆とすることにより、同じ端部材７０を共通して用いることができるようになっている。
【００７７】
また、図８において、係合孔７９が形成されている端部材７０の下面部７０Ｃの下面の高さ位置を、前述した閉鎖装置５０の下面及びガイドレール４５の下面の高さ位置と同じにしてもよく、言い換えると、扉体１の開閉移動方向に並設されている端部材７０の下面部７０Ｃの下面と閉鎖装置５０の下面とガイドレール４５の下面のそれぞれの高さ位置を同じにしてもよい。これによると、扉体１が全閉位置に達する前に、施錠装置７５の上述の操作でロックバー７７を上昇させることがあっても、このロックバー７７の先端部７７Ｂが閉鎖装置５０の下面やガイドレール４５の下面に当接し、そのまま扉体１を全閉位置まで閉じ移動させることができる。
【００７８】
なお、これと同様の作用効果は、閉鎖装置５０の下面の高さ位置とガイドレール４５の下面の高さ位置とを同じとし、これらの高さ位置よりも端部材７０の下面部７０Ｃの下面の高さ位置を高くすることによっても達成できる。
【００７９】
図１３は、図１２のＳ１３矢視図である。この図１３で示されているように、扉体１の上面には、長孔８０Ａに挿入されたビス等の結合具８１を緩めることにより、扉体１の開閉移動方向に移動させることができるスライド部材８０が配置されており、このスライド部材８０に形成された長孔状の開口部８２からロックバー７７の先端部７７Ｂが扉体１の上方へ突出している。この先端部７７Ｂには、丸棒で形成されているロックバー７７の上端部の円周方向互いに反対側の２箇所を面取り加工することによって平坦部８３が形成されており、したがって、先端部７７Ｂは、２個の平坦部８３によって扁平化されている。これらの平坦部８３は少なくとも先端部７７Ｂに形成されていればよく、例えば、先端部７Ｂだけに形成してもよく、ロックバー７７の全長又は略全長に形成してもよい。スライド部材８０の開口部８２には、扁平化されている先端部７７Ｂと適合する幅寸法となっている幅狭部８２Ａと、平坦部８３が形成されていない丸棒のままのロックバー７７の部分を挿入することができる丸孔部８２Ｂとがスライド部材８０の移動方向に、言い換えると扉体１の開閉移動方向に並設されている。先端部７７Ｂが幅狭部８２Ａに挿入されているときには、ロックバー７７を回転させることはできないが、先端部７７Ｂが丸孔部８２Ｂに挿入されたときには、ロックバー７７を回転させることができる。
【００８０】
通常時のロックバー７７の先端部７７Ｂは、図１３の（Ａ）で示されているように、幅狭部８２Ａに挿入されている。このため、図１２で説明したように、下端部の雄ねじ部７７Ａが昇降部材７６の雌ねじ部７６Ａに螺入しているロックバー７７が、扉体１の開閉移動が繰り返されて行われるなどしても回転することはなく、これにより、扉体１の上面からの先端部７７Ｂの突出量が変化してしまうことはない。
【００８１】
一方、前述した外枠組みが施工される引戸装置の施工現場に扉体１を搬入したとき等のように、扉体１の上面からの先端部７７Ｂの突出量を調整する場合には、結合具８１を緩めることにより、図１３の（Ｂ）に示されているように、先端部７７Ｂと丸孔部８２Ｂとが一致する位置までスライド部材８０を移動させる。これにより、先端部７７Ｂを挟持した工具等でロックバー７７を回転させることができ、この回転により、雄ねじ部７７Ａが昇降部材７６の雌ねじ部７６Ａに螺入しているロックバー７７の先端部７７Ｂは、扉体１の上面からの突出量が調整される。この調整作業後、スライド部材８０を図１３の（Ａ）で示す位置まで戻して結合具８１を締め付けることにより、ロックバー７７は回転ができない状態となる。
【００８２】
なお、スライド部材８０を移動させず、先端部７７Ｂを挟持した上記工具等によってロックバー７７を、前述のゴム等の弾性材料で形成された図１２の振れ止め部材７８を弾性変形させながら扉体１の開き移動側へ撓み変形させ、これにより、先端部７７Ｂを丸孔部８２Ｂの位置まで移動させ、この後、上記工具等でロックバー７７を回転させても、扉体１の上面からの先端部７７Ｂの突出量を調整することができる。この場合には、結合具８１及びスライド部材８０についての作業を行う必要がないため、扉体１の前記ローラ４７をガイドレール４５から取り外すことなく、すなわち、扉体１をガイドレール４５から吊り下げた状態のままにして、扉体１の上面からの先端部７７Ｂの突出量を調整することができる。
【００８３】
図１４及び図１５は、ロックバー７７の先端部７７Ｂが挿入係合する端部材７０’の係合孔の位置を扉体１の開閉移動方向に変更できる実施形態を示す図であって、端部材７０’を下から見た図である。この場合には、図１４で示されているとおり、端部材７０’の下面部７０Ｃに形成されている係合孔７９に欠損部７９Ａを形成し、この欠損部７９Ａにより、下面部７０Ｃに、係合孔７９を端部材７０’の外部に連通させた連通部７９Ｂを設ける。下面部７０Ｃに取り付けられる板状の補助部材８５には係合孔８６が形成されており、図１５に示されているように、この係合孔８６を連通部７９Ｂの位置と一致させて補助部材８５をビス等の結合具８７で下面部７０Ｃに取り付ける。これにより、係合孔８６は、ロックバー７７の先端部７７Ｂが挿入係合される孔となり、結合具８７を挿入する下面部７０Ｃの孔を、この下面部７０Ｃに扉体１の開閉移動方向に離れて形成された図１４の孔８４Ａと孔８４Ｂのどちらかとすることにより、扉体１を全閉位置にロックするための係合孔の位置を、実質的に扉体１の開閉移動方向に変更することができる。
【００８４】
このようにロックバー７７の先端部７７Ｂが挿入係合する端部材７０’の係合孔の位置を扉体１の開閉移動方向に実質的に変更することは、例えば、図１で示されている施錠装置７５の扉体１における配置位置が扉体１の開閉移動方向へ変更される場合に行われる。
【００８５】
なお、図１５で示すビス等の結合具８７が挿入される図１４の補助部材８５の孔８５Ａを、扉体１の開閉移動方向に長い長孔としておくことにより、ロックバー７７の先端部７７Ｂを挿入係合させる端部材７０’の係合孔の位置を、扉体１の開閉移動方向へ微調整することができる。
【００８６】
以上説明している引戸装置は、図４で前述した壁材２９，３０からなる壁５の厚さ寸法Ｔが異なる各種の施工現場に設置される。このように壁５の厚さ寸法Ｔが異なる施工現場においてそれぞれの引戸装置が設置されても、壁５の厚さ内における扉体１の配置位置は一定の基準位置Ｎに設定され、この基準位置Ｎは、例えば、壁５の厚さ方向の中央位置であり、前記施錠装置７５のロックバー７７が配置されている扉体１の厚さ方向の中央位置や、この扉体１がローラ４７を介して吊り下げられているガイドレール４５におけるローラ４７が転動自在に係合しているローラ係合部の位置を、基準位置Ｎと一致させなければならない。
【００８７】
厚さ寸法Ｔが異なるそれぞれの壁５に対処するために、この厚さ寸法Ｔの方向である幅方向の寸法、すなわち幅寸法が異なる複数個の上枠部材１０を用意するが、これらの上枠部材１０においては、基準位置Ｎから前述した垂下部１０Ｂまでの上枠部材１０の幅方向における距離Ｗを同じにする。すなわち、厚さ寸法Ｔが異なる壁５に配置されるそれぞれの上枠部材１０では、基準位置Ｎから垂下部１０Ｂまでの距離Ｗは同じになるが、上面部１０Ａの幅寸法と、前記壁材見切り部１０Ｃの幅寸法とが異なることになる。
【００８８】
このように厚さ寸法Ｔが異なる壁５に配置されるそれぞれの上枠部材１０について、基準位置Ｎから垂下部１０Ｂまでの距離Ｗを同じにしておき、そして、扉体１に配置されている施錠装置７５のロックバー７７の先端部７７Ｂが挿入係合する係合孔７９を備えている端部材７０の前記側面部７０Ｅを結合具７２により、図５で示されているように、垂下部１０Ｂに直接取り付けると、端部材７０の幅方向の寸法の設定により、幅寸法が異なるそれぞれの上枠部材１０について、係合孔７９の位置と、扉体１のロックバー７７の位置と、基準位置Ｎとを自ずと一致させることができる。
【００８９】
すなわち、厚さ寸法Ｔが異なる壁５に配置されるそれぞれの上枠部材１０について、端部材７０を共通化でき、このため、厚さ寸法Ｔが異なる壁５ごとにこれらの壁５の厚さ寸法Ｔに応じたスペース部材等を用意し、これらのスペース部材等を介して端部材７０をそれぞれの上枠部材１０の垂下部１０Ｂに取り付ける必要がなくなる。
【００９０】
また、図４で示されているように、ガイドレール４５の基端部４５Ａをビス等の結合具４６で垂下部１０Ｂに直接取り付けることにより、ガイドレール４５の幅方向の寸法の設定により、幅寸法が異なるそれぞれの上枠部材１０について、ガイドレール４５における扉体１のローラ４７が転動自在に係合しているローラ係合部の位置と、基準位置Ｎとを自ずと一致させることができる。
【００９１】
すなわち、この場合にも、厚さ寸法Ｔが異なる壁５に配置されるそれぞれの上枠部材１０について、ガイドレール４５を共通化できるのであり、このため、この場合にも、厚さ寸法Ｔが異なる壁５ごとにこれらの壁５の厚さ寸法Ｔに応じたスペース部材等を用意し、これらのスペース部材等を介してガイドレール４５をそれぞれの上枠部材１０の垂下部１０Ｂに取り付ける必要がなくなる。
【００９２】
本実施形態では、図４で示されているように、上枠部材１０の垂下部１０Ｂの外面には、前記壁材見切り部１０Ｃの突出方向へ張り出した壁材受け部材８８が設けられている。この壁材受け部材は板材の折り曲げ品であって、上枠部材１０の長手方向の寸法は短いものであり、このような壁材受け部材８８を上枠部材１０の長手方向に複数個設ける。上枠部材１０の壁材見切り部１０Ｃの上側に配置された前述の内側壁材２９と外側壁材３０のうち、外側壁材３０は、壁材受け部材８８に当てられてビス等の結合具８９でこの壁材受け部材８８に結合され、壁材受け部材８８が配置されている箇所には、内側壁材２９は配置されない。このため、壁材受け部材８８が配置されている上枠部材１０の長手方向の箇所は、内側壁材２９が配置されていない部分となっており、本実施形態によると、このような部分を、上記結合具８９の先端部や、図４で示されているガイドレール４５の基端部４５Ａを垂下部１０Ｂに結合するための前記結合具４６の先端部、さらには、図５で示されている端部材７０の側面部７０Ｅを垂下部１０Ｂに結合するための結合具７２の先端部を突出させることができる空間部とすることができる。
【００９３】
これにより、これらの結合具８９，４６，７２を所定長さ分まで充分に壁材受け部材８８や垂下部１０Ｂの厚さ方向に侵入させた状態とすることができ、結合具８９，４６，７２で壁材受け部材８８や垂下部１０Ｂに結合される部材の結合強度を大きくすることができる。
【００９４】
次に、上枠部材１０と、戸先側の竪枠部材１１と、竪額縁部材１３とを位置合わせてしてこれらの上枠部材１０、戸先側の竪枠部材１１、竪額縁部材１３を組み立てるための構造について説明する。図１６は、端部材７０が取り付けられているときの上枠部材１０だけの正面図であり、図１７は図１６のＳ１７矢視図であって、上枠部材１０を下から見た図である。
【００９５】
図１６及び図１７で示されているとおり、上枠部材１０の図４で説明した下方延出部１０Ｆ及び傾斜延出部１０Ｇには、戸先側の竪枠部材１１の側の端部の近くにおいて、上枠部材１０の幅方向外側から内側へ切り込まれたスリット９０が形成されている。また、上枠部材１０の図４で説明した壁材見切り部１０Ｃ及び起立部１０Ｄにおける竪枠部材１１の配置部分に相当する箇所は、図１７に示されているように、図４で説明した屈曲部１０Ｅを残して切除され、これにより、竪枠部材１１には、戸先側の竪枠部材１１の側に開口した凹部９１が形成され、この凹部９１から、上枠部材１０の前記垂下部１０Ｂには、上枠部材１０の幅方向外側から内側へ切り込まれたスリット９２が形成されている。上枠部材１０の長手方向と幅方向とに直交又は略直交する方向になっている上下方向は、上枠部材１０の厚み方向となっており、上枠部材１０の幅方向の深さを有するスリット９０，９２は、この厚み方向の長さを有する下方延出部１０Ｆ及び傾斜延出部１０Ｇと垂下部１０Ｂとに形成されているため、これらのスリット９０，９２は、上枠部材１０の厚み方向への長さを有している。
【００９６】
スリット９０，９２によって上枠部材１０と位置合わせされる戸先側の竪枠部材１１は、図１で示されているように、上枠部材１０の厚み方向を長手方向とする部材となっており、また、図３で示されているように、板材の折り曲げ品であるこの竪枠部材１１は、扉体１の厚さ方向に２個配置されている竪額縁部材１３と扉体１の開閉移動方向に対向している２個の前面部９３，９４を有し、これらの前面部９３，９４の間は、扉体１とは反対側へ窪んだ凹部９５となっている。そして、幅方向が上枠部材１０の幅方向と同じ方向になっているこの竪枠部材１１の上端の形状は、図４及び図５で示されている壁材見切り部１０Ｃ及び屈曲部１０Ｅを含む上枠部材１０の側面形状と略対応する形状となっている。
【００９７】
図１８には、上枠部材１０と竪枠部材１１とを位置合わせして組み立てた状態が、図１７と同じく上枠部材１０の下から見た図として示されている。上枠部材１０に対して竪枠部材１１を上枠部材１０の下側から行うこの位置合わせ組み立て作業は、竪枠部材１１の凹部９５の内側に、上枠部材１０に前記結合具７１，７２で結合されている端部材７０を挿入しながら、竪枠部材１１の前面部９３をスリット９０に、前面部９４をスリット９２にそれぞれ挿入して行われる。この後、竪枠部材１１と端部材７０とを前記結合具７３で結合する。
【００９８】
この位置合わせ組み立て作業を、図８のＳ１９矢視の方向から見た図として竪枠部材１１が示され、かつ上枠部材１０が２点鎖線で示されている図１９によって具体的に説明すると、竪枠部材１１の前面部９３の上端には、スリット９０に挿入される突出部９３Ａが形成され、前面部９４には、スリット９２に挿入される突出部９４Ａが形成され、これらの突出部９３Ａ，９４Ａは下からスリット９０，９２に挿入される。突出部９３Ａと９４Ａの間は、上記凹部９５の上端面が含まれる窪み面９５Ａとなっており、この窪み面９５Ａは、上枠部材１０の上面部１０Ａの下面に接触又は僅かな隙間をあけて対面する。また、前面部９４には、突出部９４Ａよりも上枠部材１０の幅方向外側において、大きく陥没した陥没部９４Ｂが形成され、この陥没部９４Ｂの上面９４Ｃは、上枠部材１０に前記凹部９１を形成する際に残されている屈曲部１０Ｅの下面に接触又は僅かな隙間をあけて対面する。
【００９９】
以上のように突出部９３Ａ，９４Ａを下からスリット９０，９２に挿入するとともに、窪み面９５Ａを上枠部材１０の上面部１０Ａの下面に接触又は僅かな隙間をあけて対面させ、陥没部９４Ｂの上面９４Ｃを屈曲部１０Ｅの下面に接触又は僅かな隙間をあけて対面させた後、竪枠部材１１と端部材７０とを前記結合具７３で結合する。
【０１００】
この上枠部材１０と竪枠部材１１との位置合わせ組み立て構造によると、上枠部材１０と竪枠部材１１の位置合わせは、上枠部材１０のスリット９０，９２に竪枠部材１１の前面部９３，９４の突出部９３Ａ，９４Ａを挿入することによって自ずと終了し、しかも、スリット９０，９２への突出部９３Ａ，９４Ａの挿入方向は、上枠部材１０の厚み方向であって竪枠部材１１の長手方向でもある下側から上側への方向となっているため、この位置合わせ作業を短時間で容易に行えることになる。また、スリット９０，９２は上枠部材１０の厚み方向の長さを有するため、竪枠部材１１の上枠部材１０への組み付けを、竪枠部材１１の振れが止められた状態で行うことができる。
【０１０１】
そして、スリット９０，９２によって上枠部材１０と竪枠部材１１とを位置合わせして組み立てた後は、これらの上枠部材１０と竪枠部材１１は、中間部材となっている端部材７０を介して結合されるため、上枠部材１０と竪枠部材１１との大きな結合強度を確保することができる。
【０１０２】
なお、先に端部材７０を竪枠部材１１に結合具７３で結合しておき、上枠部材１０のスリット９０，９２に竪枠部材１１の前面部９３，９４の突出部９３Ａ，９４Ａを挿入した後、端部材７０を結合具７１，７２で上枠部材１０に結合してもよい。
【０１０３】
図１６及び図１７で示されているとおり、上枠部材１０の下方延出部１０Ｆ及び傾斜延出部１０Ｇには、図１で示されている竪額縁部材１３の配置位置と対応する位置において、上枠部材１０の幅方向外側から内側へ切り込まれたスリット１００が形成され、また、図１７に示されているように、上枠部材１０の図４で説明した壁材見切り部１０Ｃと起立部１０Ｄと屈曲部１０Ｅには、上枠部材１０の幅方向外側から内側へ切り込まれたスリット１０１が形成されている。上枠部材１０の幅方向の深さを有するこれらのスリット１００，１０１は、上枠部材１０の上述した厚み方向への長さを有している。
【０１０４】
また、図１６で示されているとおり、上枠部材１０には、スリット１００，１０１の後側において、すなわちスリット１００，１０１よりも扉体１の開き移動側において、ブラケット１０３，１０４が取り付けられている。
【０１０５】
図３で示されているように、扉体１の厚さ方向に２個配置されている竪額縁部材１３のそれぞれは、互いに結合具や接着等で結合されていて、戸先側の竪枠部材１１と同じく上下方向を長手方向とする内部材２３と外部材２４で構成されているが、これらの竪額縁部材１３の内部材２３の長さは、上枠部材１０の全体の下面である壁材見切り部１０Ｃまである。上下方向が長さ方向となっている上記２個の竪額縁部材１３のうち、上枠部材１０の下方延出部１０Ｆ及び傾斜延出部１０Ｇの側に配置される竪額縁部材１３の外部材２４は、図１８で示されているように、前述した指詰め防止部材６５が取り付けられる前記内側延出部２４Ｂがスリット１００に挿入されることにより、上枠部材１０と位置合わせされてこの上枠部材１０に組み付けられる。また、上枠部材１０の壁材見切り部１０Ｃ及び起立部１０Ｄの側に配置される竪額縁部材１３の外部材２４も、図１８で示されているように、指詰め防止部材６５が取り付けられる内側延出部２４Ｂがスリット１０１に挿入されることにより、上枠部材１０と位置合わせされてこの上枠部材１０に組み付けられる。
【０１０６】
この後、それぞれの外部材２４の前述した後方延出部２４Ａは、ブラケット１０３，１０４にビス等の結合具１０５で結合される。
【０１０７】
スリット１００，１０１は、上述のスリット９０，９２の場合と同じく、これらの外部材２４の長手方向となっている長さを有しているため、外部材２４の内側延出部２４Ｂをスリット１００，１０１に挿入する作業を容易に行える。また、上枠部材１０とそれぞれの外部材２４とをスリット１００，１０１で位置合わせさせて組み合わせた後は、ブラケット１０３，１０４が中間部材となってこれらの上枠部材１０と外部材２４とが結合されるため、上枠部材１０と竪額縁部材１３とを大きな強度で結合することができる。
【０１０８】
図２０は、図１で説明した幅木１４と、扉体１の下端を案内するための図１及び図４で説明したガイドローラ６２とを戸先側の竪枠部材１１の側から見た側面図であり、図２１は図２０のＳ２１矢視図であって、これらの幅木１４とガイドローラ６２を上から見た図である。また、図２２は、幅木を構成する部材を上から見た図である。
【０１０９】
図２２に示されているように、幅木１４は、下側幅木部材１１０と上側幅木部材１１１で構成されている。下側幅木部材１１０は、図１で示した戸袋３の全長に渡る長さ、すなわち扉体１の開閉移動方向である戸袋３の幅全体に渡る長さを有し、この下側幅木部材１１０には、扉体１の厚さ方向である幅方向の寸法が大きい幅広部１１０Ａと、幅方向の寸法が小さい幅狭部１１０Ｂとがあり、幅狭部１１０Ｂは、幅広部１１０Ａにおける戸先側の竪枠部材１１の側の端部に、言い換えると、図１で示した前記出入口２の側の端部に幅広部１１０Ａと連続して設けられている。そして、幅広部１１０Ａの幅方向両端には、幅狭部１１０Ｂから離れた位置から立上部１１０Ｃが形成されている。
【０１１０】
上側幅木部材１１１は、下側幅木部材１１０よりも扉体１の開閉移動方向の長さが短く、下側幅木部材１１０における出入口２の側の端部の上に重ねられて配置されるものである。また、上側幅木部材１１１には、下側幅木部材１１０の幅広部１１０Ａよりも幅寸法が大きい幅広部１１１Ａと、幅寸法が下側幅木部材１１０の幅狭部１１０Ｂと同じになっている幅狭部１１１Ｂとがある。幅広部１１１Ａの幅方向両端には、立上部１１１Ｃが形成されているとともに、幅広部１１１Ａには、下側幅木部材１１０の幅広部１１０Ａと同じ幅寸法の間隔をあけて２個のスリット１１２が、幅広部１１１Ａにおける出入口２の側の端部から扉体１の開き移動方向へ形成されている。
【０１１１】
下側幅木部材１１０と、この下側幅木部材１１１の端部の上に配置された上側幅木部材１１１は、図２１で示すアンカー部材１１３によって図２０で示す床４に固定され、また、上下に重なっているこれらの幅木部材１１０，１１１の幅狭部１１０Ｂ、１１１Ｂの上には、ガイドローラ６２を回転自在に支持している支柱１１４のベース部材１１５が載せられ、このベース部材１１５は、床４まで達するアンカー部材１１６で幅木１４に固定される。
【０１１２】
このように本実施形態では、扉体１の下端を案内するためのガイドローラ６２は、床４に直接取り付けられておらず、戸袋３の下端において床４にアンカー部材１１３で結合されている幅木１４に取り付けられているため、ガイドローラ６２を床４に直接取り付けた場合と比較すると、ガイドローラ６２の取付強度を大きくでき、また、床４の損傷を少なくでき、さらに、幅木１４は、後述するように、スリット１１２で竪額縁部材１３と位置合わせされるため、ガイドローラ６２の取付位置精度を向上させることができる。
【０１１３】
また、幅木１４へのガイドローラ６２の取り付けは、幅木１４を構成する２個の幅木部材１１０，１１１が上下に重ね合わせられている箇所で行われているため、幅木１４におけるガイドローラ６２の取付強度をより大きくすることができる。
【０１１４】
図２０で示されているように、これらの幅木部材１１０，１１１の立上部１１０Ｃと１１１Ｃの間には、図２で説明した内側壁材２１が配置され、立上部１１１Ｃの外側には、図２で説明した外側壁材２２が配置され、内側壁材２１は立上部１１０Ｃに、外側壁材２２は立上部１１１Ｃにそれぞれビスやステープル等の結合具で結合される。
【０１１５】
また、図２３で示されているとおり、上側幅木部材１１１に形成されているスリット１１２には、前述した竪額縁部材１３を構成している前記内部材２３のうち、図３で説明した後方延出部２３Ａが挿入される。これにより、竪額縁部材１３は、スリット１１２を利用することによって幅木１４に位置合わせされて組み合わせられる。スリット１１２は、下側幅木部材１１０と上側幅木部材１１１の厚さで形成されているため、幅木１４の厚み方向である上下方向の長さを有し、スリット１１２のこの長さは、下側幅木部材１１０と上側幅木部材１１１とにより、実質的に２枚の板材の厚さに相当するものとなっているため、スリット１１２による幅木１４と内部材２３との位置合わせ組み立て作業を容易に行える。また、スリット１１２の長さ方向は、内部材２３の長手方向である上下方向になっているため、スリット１１２への内部材２３の挿入作業を容易に行える。
【０１１６】
竪額縁部材１３の外部材２４の後方延出部２４Ａは、図２３で示されているように、上側幅木部材１１１の立上部１１１Ｃにビス等の結合具１１７で結合される。
【０１１７】
なお、前述した図１８のスリット９０，９２による上枠部材１０と竪枠部材１１の位置合わせ組み立て作業と、端部材７０による上枠部材１０と竪枠部材１１との結合作業は、例えば、図４で示した壁５の下地材２７にアンカー部材２８を介して上枠部材１０を取り付けた後であって、竪枠部材１１を、図３のまだ施工されていない壁５の下地材９６にアンカー部材９７を介して取り付ける前に行われる。
【０１１８】
また、これに限らず、例えば、図４で示した壁５の下地材２７にアンカー部材２８を介して取り付けられる前の上枠部材１０のスリット９０，９２に竪枠部材１１の前面部９３，９４の突出部９３Ａ，９４Ａを挿入してこれらの上枠部材１０と竪枠部材１１とを端部材７０を介して結合し、上枠部材１０に戸尻側の竪枠部材１２を溶接又は結合具等で結合するとともに、上枠部材１０のスリット１００，１０１にそれぞれの竪額縁部材１３の外部材２４の内側延出部２４Ｂを挿入してこれらの外部材２４の後方延出部２４Ａをブラケット１０３，１０４にビス等の結合具１０５で結合し、それぞれの竪額縁部材１３の内部材２３の後方延出部２３Ａを幅木１４のスリット１１２に挿入した後に、言い換えると、引戸装置の外枠組みを構成する部材同士の位置合わせ組み立て作業や結合作業が終了した後に、図４の壁５の下地材２７にアンカー部材２８を介して上枠部材１０を取り付ける作業や、図３の戸先側の竪枠部材１１を壁５の下地材９６にアンカー部材９７を介して取り付ける作業を行うようにしてもよい。
【０１１９】
本実施形態に係る扉体１の戸尻側の端部における下端には、図２４で示されているように、ガイドローラ６２を出入りさせることのできる開口部１２０が設けられている。このため、図１で示す扉体１の左右寸法である幅寸法が、戸先側の竪枠部材１１から竪額縁部材１３までの距離、すなわち扉体１で開閉される出入口２の開口幅の寸法よりも大きくても、竪額縁部材１３を上述のように上枠部材１０と幅木１４との間に立設施工した後に、開口部１２０からガイドローラ６２を扉体１の下端に挿入することにより、扉体１を前述したガイドレール４５に吊り下げる作業を行える。
【０１２０】
図２５は、扉体１の枠組みを形成する部材を示す正面図である。この枠組みは、上部材１３１と、前部材１３２と、後部材１３３と、下部材１３４とで構成されており、それぞれの部材１３１〜１３４は、ウェブ部１３１Ａ〜１３４Ａと、これらのウェブ部１３１Ａ〜１３４Ａにおける扉体１の厚さ方向両端のフランジ部１３１Ｂ〜１３４Ｂとからなるチャンネル材によって形成されている。上部材１３１と前部材１３２及び後部材１３３とは、上部材１３１の両端に形成された係合凹部１３１Ｃに、前部材１３２及び後部材１３３の上端に形成された係合凸部１３２Ｃ、１３３Ｃが係合することによって位置合わせされ、また、下部材１３４と前部材１３２及び後部材１３３とは、下部材１３４の両端に形成された係合凹部１３４Ｃに、前部材１３２及び後部材１３３の下端が係合することによって位置合わせされている。
【０１２１】
このため、これらの上部材１３１と前部材１３２と後部材１３３と下部材１３４は、ビス等の結合具を用いることなく、所定の位置関係で位置合わせされており、この位置合わせ作業後、図４で示されている扉体１の表面材１４０，１４１を、上部材１３１と前部材１３２と後部材１３３と下部材１３３とに接着するだけで扉体１を製造することができる。
【０１２２】
また、係合凹部１３１Ｃと係合凸部１３２Ｃ、１３３Ｃとの係合により、前部材１３２と後部材１３３の重量を上部材１３１によって支持することができるため、図２５の扉体の枠組みは、前述したガイドレール４５から吊り下げられる上吊り式の扉体１の枠組みとして有効である。また、上記表面材１４０，１４１の接着が剥がれることがあっても、係合凹部１３１Ｃと係合凸部１３２Ｃ、１３３Ｃとの係合により、上部材１３１と前部材１３２、後部材１３３とを結合状態とさせておくことができる。
【０１２３】
図２６及び図２６のＳ２７矢視図である図２７は、扉体の枠組みを形成する部材同士を、図２５とは別の位置合わせ手段によって位置合わせする実施形態を示す。この枠組みも、上部材１４１と、前部材１４２と、後部材１４３と、下部材１４４とで構成されており、それぞれの部材１４１〜１４４は、ウェブ部１４１Ａ〜１４４Ａと、これらのウェブ部１４１Ａ〜１４４Ａにおける扉体１の厚さ方向両端のフランジ部１４１Ｂ〜１４４Ｂとからなるチャンネル材によって形成されている。
【０１２４】
上部材１４１と下部材１４４のウェブ部１４１Ａ，１４４Ａには、前部材１４２と後部材１４３の側へ突出した突出部１４１Ｃ、１４４Ｃが設けられ、これらの突出部１４１Ｃ、１４４Ｃを、図２７で示されているように、前部材１４２と後部材１４３のウェブ部１４２Ａ，１４３Ａに形成された欠部１４２Ｃ、１４３Ｃに挿入することにより、上部材１４１と前部材１４２と後部材１４３と下部材１４４を、ビス等の結合具を用いることなく所定の位置関係で位置合わせすることができる。
【０１２５】
この実施形態の枠組みも引戸装置の扉体のための枠組みとして利用することができるが、この扉体が、上吊り式の扉体ではなく、下端に設けられたローラ等による車輪によって開閉移動する扉体である場合に、この実施形態の枠組みを有効に利用することができる。そして、この実施形態でも、扉体の表面材は、上部材１４１と前部材１４２と後部材１４３と下部材１４４とに接着されるが、この接着が剥がれることがあっても、上部材１４１と前部材１４２と後部材１４３と下部材１４４を、突出部１４１Ｃ、１４４Ｃと欠部１４２Ｃ、１４３Ｃとにより、互いに係合した関係にさせておくことができ、これらの部材１４１〜１４４に位置ずれが生ずることを防止できる。
【０１２６】
図２８及び図２８のＳ２９−Ｓ２９線断面図である図２９で示す扉体２０１は、前パネル部２０１Ａと後パネル部２０１Ｂで構成されており、これらのパネル部２０１Ａと２０１Ｂを連結するために、パネル部２０１Ａと２０１Ｂの連結部に、例えば、木材等による連結部材２０２を配置し、この連結部材２０２に、扉体２０１の厚さ方向外側に向かって開口した２個の溝２０３を形成している。図２９で示されているように、連結部材２０２に接着で固定される前パネル部２０１Ａと後パネル部２０１Ｂの表面材２０４〜２０７には、溝２０３に挿入される折り曲げ部２０４Ａ〜２０７Ａが形成され、連結部材２０２への表面材２０４〜２０７の接着と、溝２０３への折り曲げ部２０４Ａ〜２０７Ａの挿入とにより、パネル部２０１Ａと２０１Ｂは連結されている。
【０１２７】
なお、以上説明したそれぞれの実施形態に係る扉体１，２０１の内部には耐火材料等からなる芯材を詰め込んでもよく、詰め込まなくてもよい。
【産業上の利用可能性】
【０１２８】
本発明は、例えば、引戸装置等のように、開閉体によって開閉される開閉空間を内側の少なくとも一部に形成するための開閉装置用外枠組みに利用することができる。
【図面の簡単な説明】
【０１２９】
【図１】本発明の一実施形態に係る外枠組みが適用されている上吊り式の引戸装置の全体を示す正面図である。
【図２】図１のＳ２−Ｓ２線断面図である。
【図３】図１のＳ３−Ｓ３線断面図である。
【図４】図１のＳ４−Ｓ４線断面図である。
【図５】戸先側の竪枠部材の側から見た上枠部材の側面図である。
【図６】戸先側の竪枠部材の側から見た点検カバーの側面図である。
【図７】点検カバーの形状を示す図５のＳ７矢視図である。
【図８】上枠部材の内部空間に収納配置されている扉体移動機構を点検カバーを取り外して示した正面図である。
【図９】扉体を後退限位置に停止させるための停止装置を示す扉体の戸先側の端部の部分とその周辺の平面図である。
【図１０】竪額縁部材に取り付けられている指詰め防止部材とその周辺の拡大平断面図である。
【図１１】端部材の全体を示す斜視図である。
【図１２】扉体に配設されている施錠装置の部分の拡大正面図である。
【図１３】図１２のＳ１３矢視図であり、（Ａ）は、スライド部材が施錠装置のロックバーの回転を阻止する位置にあるときの図で、（Ｂ）は、スライド部材がロックバーの回転を許容する位置にあるときの図である。
【図１４】ロックバーの先端部が挿入係合する端部材の係合孔の位置を扉体の開閉移動方向に変更できる実施形態を示す図であって、端部材を下から見た図である。
【図１５】図１４の実施形態において、ロックバーの先端部が挿入係合する端部材の係合孔の位置を補助部材によって扉体の開閉移動方向に変更した場合を示す図であって、端部材を下から見た図である。
【図１６】上枠部材と戸先側の竪枠部材と竪額縁部材とを位置合わせてしてこれらを組み立てるための構造について説明する図であって、端部材が取り付けられている上枠部材だけを示す正面図である。
【図１７】図１６のＳ１７矢視図であって、図１６の上枠部材を下から見た図である。
【図１８】上枠部材と戸先側の竪枠部材と竪額縁部材とを位置合わせてしてこれらを組み立てたときであって、戸先側の竪枠部材と竪額縁部材を２点鎖線で示している上枠部材を下から見た図である。
【図１９】戸先側の竪枠部材と上枠部材との組み合わせ状態を図８のＳ１９矢視の方向から見た図であって、上枠部材を２点鎖線で示した図である。
【図２０】幅木と、扉体の下端を案内するガイドローラとを戸先側の竪枠部材の側から見た側面図である。
【図２１】図２０のＳ２１矢視図であって、幅木とガイドローラを上から見た図である。
【図２２】幅木を構成するそれぞれの部材を上から見た図である。
【図２３】幅木に形成されているスリットにより、２点鎖線で示す竪額縁部材を幅木に位置合わせしたときを示す図である。
【図２４】扉体の戸尻側の端部における下端にガイドローラを出入りさせることできる開口部が設けられていることを示す斜視図である。
【図２５】扉体の枠組みを形成する部材を示す正面図である。
【図２６】扉体の枠組みを形成する部材同士を、図２５とは異なる位置合わせ手段で位置合わせする実施形態を示す図２５と同様の図である。
【図２７】図２６のＳ２７矢視図である。
【図２８】別実施形態に係る扉体を示す正面図である。
【図２９】図２８のＳ２９−Ｓ２９線断面図である。
【符号の説明】
【０１３０】
１，２０１  開閉装置の開閉体である引戸装置の扉体
２  開閉空間である出入口
３  戸袋
４  床
５  壁
１０  上枠部材
１０Ｂ  垂下部
１１  戸先側の竪枠部材
１２  戸尻側の竪枠部材
１３  竪額縁部材
１４  幅木
２１，２２  壁材
４５  上吊り式の扉体の移動を案内するガイド部材であるガイドレール
６２  扉体の下端を案内するガイドローラ
７０，７０’  中間部材でもある端部材
７５  施錠装置
７７  施錠装置のロック部材であるロックバー
７９  端部材の係合部である係合孔
９０，９２，１００，１０１，１１２  スリット
１０３，１０４  中間部材であるブラケット
１１０  下側幅木部材
１１１  上側幅木部材
Ｎ  基準位置
Ｗ  基準位置から上枠部材の垂下部までの距離
【図１】
0005279997.tif 000002
【図２】
0005279997.tif 000003
【図３】
0005279997.tif 000004
【図４】
0005279997.tif 000005
【図５】
0005279997.tif 000006
【図６】
0005279997.tif 000007
【図７】
0005279997.tif 000008
【図８】
0005279997.tif 000009
【図９】
0005279997.tif 000010
【図１０】
0005279997.tif 000011
【図１１】
0005279997.tif 000012
【図１２】
0005279997.tif 000013
【図１３】
0005279997.tif 000014
【図１４】
0005279997.tif 000015
【図１５】
0005279997.tif 000016
【図１６】
0005279997.tif 000017
【図１７】
0005279997.tif 000018
【図１８】
0005279997.tif 000019
【図１９】
0005279997.tif 000020
【図２０】
0005279997.tif 000021
【図２１】
0005279997.tif 000022
【図２２】
0005279997.tif 000023
【図２３】
0005279997.tif 000024
【図２４】
0005279997.tif 000025
【図２５】
0005279997.tif 000026
【図２６】
0005279997.tif 000027
【図２７】
0005279997.tif 000028
【図２８】
0005279997.tif 000029
【図２９】
0005279997.tif 000030